(57)【要約】【課題】極めて簡単に掃除作業することができる排水配管構造１を提供する。【解決手段】排水配管構造１は、該封水部５の下端から少なくとも前記排水流路６の間隔を開けて設置される回転軸７と、該回転軸７に回転可能に支持されつつ前記封水部５の排水流路６を開けて保持可能であって、回転させると前記封水部５の内周面に当接して当該封水部５の排水流路６に沿って移動することで、前記封水部５の滞留物を掻き出す掃除部材８と、前記回転軸７と離間した位置に設置され、回転操作可能な操作部材９と、該操作部材９の回転トルクを前記回転７軸に伝達する伝達軸１０と、を備える。【選択図】図１
2010065490.tif 000002
【特許請求の範囲】
【請求項１】
排水を下流に流下させる排水流路を構成する排水配管構造において、
前記排水流路上に設置される回転軸と、
該回転軸に回転可能に支持されつつ配管の前記排水流路を開けた状態で保持可能であって、回転させると前記配管の内周面に当接して当該配管の排水流路に沿って摺動することで、前記配管の滞留物を掻き出す清掃部材と、
前記回転軸と離間した位置に設置される操作部材と、
該操作部材の動作を前記回転軸に伝達する伝達手段と、を備えることを特徴とする排水配管構造。
【請求項２】
前記伝達手段は、一端が前記操作部材に固定される伝達軸と、該伝達軸の他端に形成され当該伝達軸の回転トルクを前記回転軸に伝達するギア構造と、を有することを特徴とする請求項１に記載の排水配管構造。
【請求項３】
前記伝達手段は、一端が前記操作部材に固定されるとともに当該操作部材の回転トルクを前記回転軸に伝達するコントロールケーブルであることを特徴とする請求項１に記載の排水配管構造。
【請求項４】
キッチンシンクの排水口に設置されるディスポーザーの下流に配設されて、排水を下流に流下させる排水流路を構成する排水配管構造において、
前記排水流路上に設置される回転軸と、
該回転軸に回転可能に支持されつつ配管の前記排水流路を開けた状態で保持可能であって、回転させると前記配管の内周面に当接して当該配管の排水流路に沿って摺動することで、前記配管の滞留物を掻き出す清掃部材と、
前記ディスポーザーのモーターにより発生する動力を前記回転軸に伝達する伝達手段と、を備えることを特徴とする排水配管構造。
【発明の詳細な説明】
【技術分野】
【０００１】
本発明は、掃除機能付き排水配管構造に関し、特に、排水配管を分解することなく、簡単にトラップ装置の封水部内に滞留する汚物を取り除くことができる掃除機能付き排水配管構造に関する。
【背景技術】
【０００２】
従来より、排水を屋外に排出するための排水配管には、管体を屈曲させて排水の一部を貯留する封水部を設けたＳ字又はＰ字の排水配管構造が設置されている（例えば特許文献１）。このように構成すると、臭気や害虫類は封水中を通過することができないので、下水側からの臭気や害虫類の逆流を防止することができる。
【０００３】
このような排水配管構造を通過する排水は、排水機器の使用者が使用した後の水であるため、毛髪・水垢・厨芥・残飯・ゴミ・泥・洗剤カスその他の汚物が混入している場合が多く、排水機器を長期間使用している間に、これらの物質が管内壁に付着するなどして蓄積し、排水配管構造を閉塞することがあるので、このような排水配管構造は定期的に管内壁に付着した物質を取り除く掃除作業をする必要があった。
【０００４】
そこで、上述の掃除作業を簡単なものにするために種々の排水配管構造が提案されている。例えば、図９に示すように、特許文献２には、排水口１０３からの排水を一時的に貯蔵するためのトラップ本体１００と、このトラップ本体１００に接続されて当該トラップ本体１００からの排水を設備排水管へ導くためのトラップ排水管１０１と、トラップ本体１００の入口部に着脱自在に取り付けられてトラップ本体１００の内部にＳ字トラップの流路を形成するための流路形成部材１０２とを備えていることを特徴とする排水配管構造１０４が記載されている。この構成によると、流路形成部材１０２が取り外しできるので、トラップ本体１００の入口部から流路形成部材１０２を取り外すという比較的単純な作業を行うだけで、トラップ本体１００の内部の汚れを目視により容易に確認することができ、トラップ本体１００の入口部から流路形成部材１０２を取り外した状態で、ブラシなどの掃除具を用いてトラップ本体１００の内部を直接的に掃除することができる。
【特許文献１】実公昭６０−１３８９５
【特許文献２】特開２００６−３２８８２４
【発明の開示】
【発明が解決しようとする課題】
【０００５】
しかし、上述のような構成をとったとしても、排水配管構造１０４を一旦分解して、掃除を行い再度組み立てることには変わりなく、日常的に気軽に掃除作業できるものではない。
【０００６】
そこで、本発明は、極めて簡単に掃除作業することができる排水配管構造を提供することを目的とする。
【課題を解決するための手段】
【０００７】
上記の目的を達成するために、請求項１に記載の排水配管構造は、排水を下流に流下させる排水流路を構成する排水配管構造において、前記排水流路上に設置される回転軸と、該回転軸に回転可能に支持されつつ配管の前記排水流路を開けた状態で保持可能であって、回転させると前記配管の内周面に当接して当該配管の排水流路に沿って摺動することで、前記配管の滞留物を掻き出す清掃部材と、前記回転軸と離間した位置に設置される操作部材と、該操作部材の動作を前記回転軸に伝達する伝達手段と、を備えることを特徴としている。
【０００８】
また、請求項２に記載の排水配管構造は、請求項１に記載の排水配管構造であって、前記伝達手段は、一端が前記操作部材に固定される伝達軸と、該伝達軸の他端に形成され当該伝達軸の回転トルクを前記回転軸に伝達するギア構造と、を有することを特徴としている。
【０００９】
請求項３に記載の排水配管構造は、請求項１に記載の排水配管構造であって、前記伝達手段は、一端が前記操作部材に固定されるとともに当該操作部材の回転トルクを前記回転軸に伝達するコントロールケーブルであることを特徴としている。
【００１０】
請求項４に記載の排水配管構造は、キッチンシンクの排水口に設置されるディスポーザーの下流に配設されて、排水を下流に流下させる排水流路を構成する排水配管構造において、前記排水流路上に設置される回転軸と、該回転軸に回転可能に支持されつつ配管の前記排水流路を開けた状態で保持可能であって、回転させると前記配管の内周面に当接して当該配管の排水流路に沿って摺動することで、前記配管の滞留物を掻き出す清掃部材と、前記ディスポーザーのモーターにより発生する動力を前記回転軸に伝達する伝達手段と、を備えることを特徴としている。
【発明の効果】
【００１１】
請求項１に記載の排水配管構造によると、排水流路上に回転軸が設置されるとともに、この回転軸により掃除部材が回転可能に支持されており、この掃除部材を排水流路を開いた状態で保持することで、通常時はこの掃除部材が障害となることなくスムーズに排水を流下させることができる。そして、排水配管構造を掃除するときには、この掃除部材を回転させることで、掃除部材が配管の排水流路に沿って移動するので、配管の滞留物はこの掃除部材によって掻き出される。したがって、回転軸と離間した位置に設置される操作部材を操作すると、伝達部材により回転軸に操作部の動作が伝達され、掃除部材が回転して、配管の滞留物を掻き出すことができ極めて簡単に排水配管構造を掃除することができる。特に操作部材を例えば蛇口の傍などの普段から簡単に操作できる位置に設置することで、日常的に気軽に掃除することができる。
【００１２】
請求項２に記載の排水配管構造によると、伝達手段が、一端が操作部材に固定される伝達軸と、この伝達軸の他端に形成されて当該伝達軸の回転トルクを回転軸に伝達するギアと、により構成されるので、単純な構造とすることができ確実に回転トルクを伝達して、排水配管構造を掃除することができる。
【００１３】
請求項３に記載の排水配管構造によると、伝達手段が、回転軸に回転トルクを伝達するコントロールケーブルであるので可撓性を有し、直線的に伝達部材を配置する空間を確保できない場合でも設置することができる。
【００１４】
請求項４に記載の排水配管構造は、キッチンシンクの排水口にディスポーザーが設置され、当該ディスポーザーの下流に配設される下水配管を屈曲させて形成される排水配管構造であって、伝達手段は、このディスポーザーのモーターにより発生する動力を回転軸に伝達するので、ディスポーザーを動作させるだけで、他に何の操作をすることもなく、排水配管構造を掃除することができる。ディスポーザーを通過した排水には粉砕された生ゴミなどの固形物が多く含まれているため、上述のようにディスポーザーが動作した場合に自動的に排水配管構造を掃除することで、生ゴミの粉砕物が堆積して排水配管構造が詰まることを防止することができる。
【発明を実施するための最良の形態】
【００１５】
以下において、本発明の排水配管構造１の第１の実施形態について、各図面を参照しつつ説明する。排水配管構造１は、排水口から流下した排水を貯留して、下水側の臭気や害虫が排水口から屋内に侵入することを防止するものであって、排水を貯留するためにＳ字又はＰ字に屈曲して形成されている。
【００１６】
この排水配管構造１は、図１及び図３に示すように、一端側が図示しない排水口からこの排水口下方に設けられたキャビネット内部で下方に連なる上流側配管２と連通し、その中間部で上方に向かって折曲する封水用配管３と、この封水用配管３の他端側に連通し中間部で折れ曲がって排水を下流側に流下させる下流側配管４と、により形成される封水部５と、この封水部５の下端５１から排水が流れる排水流路６の間隔を開けて上方に設置される回転軸７と、この回転軸７に回転可能に支持されており、封水部５の排水流路６の上方に保持可能な掃除部材８と、例えばキャビネットの外側であって、図示しない蛇口に近接して設けられ回転操作可能なグリップを有する操作部材９と、操作部材９の回転トルクを回転軸７に伝達するための伝達軸１０と、操作部材９から伝達軸１０に伝わった回転トルクを回転軸７の回転トルクに変換するギア構造１１と、を備えている。
【００１７】
封水用配管３は、その両端の外周面にそれぞれ雄螺子３１が形成されており、ジョイント１２及びゴムパッキン１３を介して、それぞれ上流側配管２及び下流側配管４に接続されている。封水用配管３の下端の上部は、膨らんで形成されており、回転軸７を軸として掃除部材８を回転軸７の上方に回転させることができる退避スペース３２を有する。掃除部材８をこの退避スペース３２で保持することで、掃除部材８は排水流路６の障害となることがなく、排水をスムーズに流すことができる。
【００１８】
回転軸７は、封水用配管３の排水流路６と退避スペース３２との間にほぼ水平に設けられた円筒形状であり、一端側が封水用配管３の壁を貫通して外部に突出している。この回転軸７の封水用配管３から突き抜ける部分には封水用配管３の貫通部分に密接するゴムパッキン７１が取付けられており、封水用配管３の水密性を保っている。そして、回転軸７の周面には掃除部材８の支持片８１が固定されている。そしてこの支持片８１を介して、封水部５の下端付近の断面よりもやや大きな円形平板状のゴム製の掻出部８２が回転軸７に回転可能に固定されており、これら支持片８１と掻出部８２とで掃除部材８を構成している。
【００１９】
伝達軸１０はほぼ鉛直に例えば樹脂又は金属で形成された棒状であって、上端が操作部材９に固定されている。そして、伝達軸１０の下端と、回転軸７の回転軸７の外部に突出した端部とは、互いに噛み合うように形成されたかさ歯車から構成されるギア構造１１が形成されており、回転トルクを伝達することができる。
【００２０】
以上のような構成の排水配管構造１において、封水部５の下端に堆積した滞留物を取り除くために掃除する際には、図３に示すような操作部材９のグリップを例えば手動で回転動作させる。操作部材９の回転トルクは伝達軸１０を介してギア構造１１に伝達され、このギア構造１１において回転軸７の回転トルクに変換される。そして回転軸７が回転すると、図２に示すように、回転軸７に固定されている掃除部材８も封水部５の屈曲箇所に沿って封水用配管３の内壁面に密接しつつ回転する。これにより、封水部５の下端に堆積した滞留物や封水用配管３内壁面に付着した滞留物は、この掃除部材８の掻出部８２により掻き出される。そして、掻き出された滞留物は、排水とともに下水に排出される。したがって、この排水配管構造１は、例えば蛇口近傍に設けられた操作部材９を回転操作するだけで、配管を分解することなく、極めて簡単に滞留物を取り除くことができる。
【００２１】
なお、排水配管構造１の操作部材９から回転軸７への回転トルクの伝達手段は、上述の伝達軸１０及びギア構造１１に限定されるものではなく、例えば図４に示すように、一端が操作部材９に固定され、他端が回転軸に固定されるコントロールケーブル１４を用いるものであってもよい。コントロールケーブル１４は可撓性を有するので、操作部材９の設置箇所をより自由に選択することができ、操作部材９をより操作しやすい場所に設置することができる。なお、図示しないが操作部材９が例えばリモートコントローラの受光部であって、リモートコントローラから発する赤外線又は電磁波等を用いて回転軸７等の伝達手段に回転トルクを伝達する構成であってもよい。
【００２２】
次に排水配管構造１の第２の実施形態について説明する。なお、第２の実施形態の排水配管構造１の封水部５内部の構成は、図１に図示した第１の実施形態の排水配管構造１の内部構造と同様のものであるので、図面を省略する。第２の実施形態の排水配管構造１は、図５に示すように、キッチンシンクの排水口１５に設置されるディスポーザー１６の下流に配設されて、排水を下流に流下させる排水流路６を構成するとともに、排水の一部を貯留する封水部５を備える排水配管構造１であって、封水部５の下端から少なくとも排水流路６の間隔を開けて上方に設置される回転軸７と、回転軸７に回転可能に支持されつつ封水部５の排水流路６の上方に保持可能であって、回転させると封水部５の内周面に当接して封水部６１排水流路６に沿って移動することで、封水部５の滞留物を掻き出す弾性体からなる清掃部材８と、ディスポーザー１６の図示しないモーターにより発生する回転トルクを回転軸７に伝達するコントロールケーブル１７と、を備える。
【００２３】
このように、ディスポーザー１６のモーターと、回転軸７と、をコントロールケーブル１７により連結しているので、ディスポーザー１６のモーターを作動させることでコントロールケーブル１７を介して回転軸７に回転トルクを伝達することができ、自動的に排水配管構造１の封水部５の下端に滞留する滞留物を取り除くことができる。ディスポーザー１６は生ゴミを粉砕して排水配管内を流下させるものであるので、排水配管構造１には粉砕した生ゴミなどが滞留物として滞留し易い。そこで、上述のように自動的に封水部５に滞留する滞留物を取り除くことで、排水配管構造１に滞留物が堆積することを抑制できる。
【００２４】
なお、本発明の実施の形態は、本実施形態に限ることなく、本発明の思想の範囲を逸脱しない範囲で適宜変更することができることは云うまでもない。例えば、第１の実施形態及び第２の実施形態においては、封水用配管３の下端が丸く屈曲して形成されているが、図６（Ａ）に示すように、封水部５の下端が水平方向に長く形成される場合においても、本発明の排水配管構造１を採用することができる。すなわち、例えば風呂場における浴槽の排水口１９ａと、洗い場の排水口１９ｂのように異なる２つの排水器２０ａ、２０ｂの間を封水部５で連通させるような場合に、封水部５の下端の一部を形成するほぼ水平に設置された水平配管１８の上部に半円状に膨らんだ退避スペース３２を形成し、封水部５の下端と退避スペース３２の上端との中心に回転軸７を設置するとともに、当該回転軸７に掃除部材８を回転自在に固定する構成とすることもでき、図６（Ｂ）に示すように、この掃除部材８を回転させることにより、配管１８の下端に堆積した滞留物を下流側に排出する。
【００２５】
なお、この構成においても、第１の実施形態と同様に、操作部材９の回転トルクを伝達軸１０及びギア構造１１を介して回転軸７に伝達する構成やコントロールケーブル１４を介して回転軸７に伝達する構成などの種々の構成を採用することができる。また、この排水配管構造１に用いられる回転軸７、掃除部材８等は１つに限定されるものではなく、図７に示すように、複数の回転軸７を並設して、これら回転軸７にそれぞれ掃除部材８を回転可能に固定する構成としてもよい。このように構成すると、封水部５の下端に堆積する滞留物をより確実に下流側に排出することができる。
【００２６】
また１つの回転軸７に対して、２以上の掃除部材８が回転可能に固定される構成であってもよい。例えば、図８（Ａ）（Ｂ）に示すように、回転軸７を挟むように両側に掃除部材８が回転可能に設けられる構成としてもよく、図８（Ａ）に示すように排水を流下させるときには、掃除部材８は退避スペース３２の入り口に保持することで、排水流路６を開いた状態に保つことができ、しかも掃除部材８が退避スペース３２の蓋の役割を果たすことで、退避スペース３２内に排水内の汚物が入り込むことをも防ぐことができる。
【００２７】
なお、上述の各実施形態においては、回転軸７を排水流路６の上方に設けている。通常配管の滞留物は下方に堆積することが多いので、回転軸７を排水流路６の上方に設けて配管の下側の内面を沿うように掃除部材８を回転させることで、配管の下端に堆積した滞留物を下流側に排出し易い構成としているが、本発明の実施形態はこれに限定されるものではなく、回転軸７が排水流路６の側方又は下方に設けられるものであってもよい。このような場合においても、回転軸７に固定された掃除部材８を回転させることにより、排水流路６を構成する配管の内側面に堆積した滞留物を下流側に排出することができる。
【産業上の利用可能性】
【００２８】
本発明の排水配管構造１は、滞留物の堆積を防ぐ排水配管構造１として、例えば住宅の排水配管に設置されるトラップにおいて好適に用いることができる。
【図面の簡単な説明】
【００２９】
【図１】第１の実施形態の排水配管構造の内部構成を説明する断面図。
【図２】第１の実施形態の排水配管構造を清掃するときの掃除部材の作用を説明する図。
【図３】第１の実施形態の排水配管構造の外観構成を説明する斜視図。
【図４】操作部材の回転トルクを回転軸に伝達する伝達手段としてコントロールケーブルを用いた排水配管構造を説明する図。
【図５】第２の実施形態の排水配管構造の外観構成を説明する図。
【図６】封水部５の下端が水平方向に長く形成される場合における排水配管構造を説明する図。
【図７】複数の回転軸７、及び掃除部材８を有する排水配管構造を説明する図。
【図８】回転軸７を挟んで両側に直線状に２個の掃除部材８が設けられる排水配管構造を説明する図。
【図９】従来の排水配管構造を説明する図。
【符号の説明】
【００３０】
１    排水配管構造
５    封水部
６    排水流路
７    回転軸
８    掃除部材
９    操作部材
１０  伝達軸
１１  ギア構造
１４  コントロールケーブル
１６  ディスポーザー
【図１】
2010065490.tif 000003
【図２】
2010065490.tif 000004
【図３】
2010065490.tif 000005
【図４】
2010065490.tif 000006
【図５】
2010065490.tif 000007
【図６】
2010065490.tif 000008
【図７】
2010065490.tif 000009
【図８】
2010065490.tif 000010
【図９】
2010065490.tif 000011